(57)【要約】【課題】従来の入出金処理を行うことができる自動取引装置は、個別に記録しておきたい複数の入金もしくは出金取引は、それぞれ独立した取引として連続して複数回の取引とするために取引時間が長く（多く）なり、混雑の要因となっていた。また、有料取引の場合には手取引毎に手数料がかかるという問題もある。  【解決手段】顧客の操作により紙幣の出金取引が行え、その取引情報を通帳や伝票等の媒体に印字することができる自動取引装置において、出金取引時に、操作画面に複数の出金取引について各々の取引金額が表示できる指定金額欄を表示して、取引毎の入力された取引金額を前記指定金額欄に並べて表示し、入力された各取引の現金の処理を行い、取引毎の取引内容を同一の媒体に印字して顧客に放出することを特徴とする。【選択図】        図１
2009093465.tif 000002
【特許請求の範囲】
【請求項１】
顧客の操作により紙幣の出金取引が行え、その取引情報を通帳や伝票等の媒体に印字することができる自動取引装置において、
出金取引時に、操作画面に複数の出金取引について各々の取引金額が表示できる指定金額欄を表示して、取引毎の入力された取引金額を前記指定金額欄に並べて表示し、入力された各取引の現金の処理を行い、取引毎の取引内容を同一の媒体に印字して顧客に放出することを特徴とする自動取引装置。
【請求項２】
請求項１記載の自動取引装置において、
しおりを収納したしおり収納庫を設け、
複数の出金取引を行うに際し、各取引の金額分の紙幣が計数される毎に前記しおり収納庫からしおりを１枚繰出して計数された紙幣と重ねて紙幣入出金口に集積することにより、取引毎の紙幣をしおりで区分して、複数取引分の紙幣を一括して紙幣入出金口から出金することを特徴とする自動取引装置。
【請求項３】
顧客の操作により紙幣の入金取引が行え、その取引情報を通帳や伝票等の媒体に印字することができる自動取引装置において、
複数の入金取引を行うに際し、取引毎の紙幣の間にしおりを挟み込んだ状態で紙幣を一括して紙幣入出金口に投入させ、前記しおりで区分された取引毎の紙幣を計数して、取引毎の入金金額を操作画面に並べて表示し、取引毎の取引内容を同一の媒体に印字して顧客に放出することを特徴とする自動取引装置。
【発明の詳細な説明】
【技術分野】
【０００１】
本発明は、顧客の操作により少なくとも紙幣の出金・入金等の取引等を行うことができる自動取引装置に関する。
【背景技術】
【０００２】
従来の紙幣の入出金取引を行うことができる自動取引装置は、入金（預入れ）や出金（引出し）の取引においては、その取引金額を入力し、その金額が取引され、通帳やレシート等の媒体にその取引金額が印字される。
そこで、同一人が区別して記録したい複数の入金や出金の取引をそれぞれ連続して行う場合には、各取引毎に最初から取引手続きを繰り返して行うことになる（例えば、特許文献１参照）。
【特許文献１】特開平８−５０６７７号公報
【発明の開示】
【発明が解決しようとする課題】
【０００３】
しかしながら、上述した従来の技術においては、区別した取引として個別に記録しておきたい複数の入金もしくは出金取引は、それぞれ独立した取引として連続して複数回の取引とするために取引時間が長く（多く）なり、混雑の要因となっていた。また、有料取引の場合には手取引毎に手数料がかかるという問題もある。
そこで、例えば個別に記録に残したい複数の出金取引をまとめて1回で済まそうとして一度に複数回分の金額の総額を取引すると、金額は受け取った後に所望金額毎に区別しなければならず、また、通帳やレシートには取引した1回の総額金額が印刷されることになるという問題がある。
【０００４】
また、個別に記録に残したい複数の入金取引をまとめて1回で済まそうとして一度に複数回分の金額の総額を取引すると、通帳やレシートには取引した1回の総額金額が印刷され、個別の取引としては記録されないという問題がある。
本発明は、このような問題を解決することを課題とするもので、複数の取引を1回の取引で済ませ、その取引時に総額紙幣の各取引金額間にしおりを挟み込むことにより、複数指定した金額をしおりで区分して一括取引ができるようにし、しかも通帳やレシート等の媒体に取引毎の記録を区別して印字するものである。
【課題を解決するための手段】
【０００５】
そこで本発明は、顧客の操作により紙幣の出金取引が行え、その取引情報を通帳や伝票等の媒体に印字することができる自動取引装置において、出金取引時に、操作画面に複数の出金取引について各々の取引金額が表示できる指定金額欄を表示して、取引毎の入力された取引金額を前記指定金額欄に並べて表示し、入力された各取引の現金の処理を行い、取引毎の取引内容を同一の媒体に印字して顧客に放出することを特徴とする。
【０００６】
さらには、装置内にしおりを１枚１枚排出することができるしおり収納庫を設けると共に操作画面に複数の取引金額が並べて表示できる指定金額欄を表示するようにし、区別して印字記録したい複数の入金取引もしくは出金取引を取引金額毎の紙幣間にしおりを挟み込んで一括取引処理し、それぞれの取引を通帳等の同一の媒体に個別に印字記録することを特徴とする。
【０００７】
さらには、顧客の操作により紙幣の入金取引が行え、その取引情報を通帳や伝票等の媒体に印字することができる自動取引装置において、複数の入金取引を行うに際し、取引毎の紙幣の間にしおりを挟み込んだ状態で紙幣を一括して紙幣入出金口に投入させ、前記しおりで区分された取引毎の紙幣を計数して、取引毎の入金金額を操作画面に並べて表示し、取引毎の取引内容を同一の媒体に印字して顧客に放出することを特徴とする。
【発明の効果】
【０００８】
このようにした本発明は、媒体に個別に記録しておきたい複数の入金取引もしくは出金取引を、1回の処理手続きで行うことができることになり、取引時間を極めて短縮することができ、機器に対する1人の占有時間を短くすることができるために、利用する顧客の混雑緩和をはかることができる。また、手数料が必要な場合には、一度の手数料で済むことになるという効果が得られる。
【発明を実施するための最良の形態】
【０００９】
以下、図面を参照して本発明による実施例を説明する。
【実施例１】
【００１０】
図１は自動取引装置における紙幣入出金機の構造を示す簡略説明図、図２は自動取引装置の構成を示す概略ブロック図、図３は実施例を示す操作表示部の操作画面例、図４は区別指定画面例である。
本実施例は出金取引処理を例としたものである。
図３の操作画面である出金取引の入力画面において、１は金額入力欄、２は金額を入力するためのテンキー、３は取引内容を決定するための「確認」キー、４は取引内容を取り消す「取消」キー、５は本願発明の特長である「区別指定」キーである。
【００１１】
この「区別指定」キー５の押下によって図４の区別指定画面が開かれる。
区別指定画面には、指定金額欄６、金額を入力するためのテンキー７、取引内容を決定するための「確認」キー８、取引内容を取り消す「取消」キー９がある。
上記指定金額欄６は、複数の金額入力表示欄６１、６２…６ｎが並んでおり、所望する複数の出金取引の各取引金額が入力できるようになっている。
【００１２】
ここで、図２によりの自動取引装置１０の説明をする。図において、１１は紙幣入出金機、１２は前記操作画面や区別指定画面等を表示する顧客操作用のタッチパネル式の操作表示部、１４はキャッシュカードに対する記録情報読取処理やレシート（媒体）への印字処理を行うＣＲＰ部（Ｃａｒｄ  Ｒｅａｄ  Ｐｒｉｎｔ部）、１５は通帳入出口から挿入された通帳（媒体）に印字を行う通帳記帳部である。
【００１３】
２２は制御部であり、記憶部２３に格納されたプログラム（ソフトウェア）に基づいて制御部２２により自動取引装置１０全体が制御される。２４はホストコンピュータ、２５は顧客管理データベースである。
図２により紙幣入出金機１１を説明する。
図において、１３は出金した紙幣の受け取りや入金する紙幣の挿入口となる紙幣入出金口、１６は入金用の紙幣を一時的に収納する一時保留部、１７と１８は紙幣を収納する紙幣収納金庫であり、この紙幣収納金庫１７と１８の一方は万円紙幣用、他方を千円紙幣用として用いるが、収納金種はこれに限られるものではなく、また、紙幣収納金庫数もこの数に限るものではなく適宜に定める。
【００１４】
１９はしおり収納庫であり、しおりが収納してある。このしおりとしては、入金取引時に紙幣間に混入する恐れがあるスーパーストア等のレシートと区別可能なもの、例えば、万円紙幣や千円紙幣と同等の形状の紙片を用いることが望ましく、また、しおりであることを識別可能なマーク等を印刷したものとすればより好ましい。
２０は出金取引時のリジェクト紙幣を収納するリジェクト庫、２１は紙幣の金種鑑別や計数等を行う鑑別部で、本発明の鑑別部２１はしおりをその形状やマーク等から識別できる機能を有している。
【００１５】
このような構成による自動取引装置の出金取引処理を説明する。
通常の1回のみの出金の際には、操作表示部１２に表示された図示しない通常の待受画面（取引選択画面）で顧客が「引出し」（出金）キーを押下すると、図３の操作画面である出金取引の入力画面が表示されるので、金額入力欄１にテンキー２により希望する出金金額を入力し、その後、顧客が「確認」キー３を押すことにより通常の出金取引が実行され、通帳記帳機１５やＣＲＰ部１４により通帳やレシートにその取引内容（取引明細）が印字される。
【００１６】
つぎに本実施例は、顧客が、個別に記録に残したい複数の出金取引を1回の出金取引処理操作で行うことができる。
つまり、操作表示部１２に表示された図示しない通常の待受画面で顧客が「引出し」（出金）キーを押下すると、図３の操作画面である出金取引の入力画面が表示される。つづいて、画面中の「区別指定」」キー５を押下すると図４に示す区別指定画面が表示される。
【００１７】
そこで、希望する複数の指定金額を指定金額欄６の各金額入力表示欄６１、６２、６３…６ｎにそれぞれ案内に従ってテンキー７によって入力する。なお、この区別指定画面は金種毎の枚数で金額を入力できるような画面としてもよい。
入力が終了し、「確認」キー８が押下されると、記憶部２３に各金額入力表示欄６１、６２…６ｎに入力された各金額、順序さらに合計金額等が記憶される。
【００１８】
そして「確認」キー８の押下によって、ホストコンピュータ２４との通信が行われる。この場合、自動取引装置１０から予めＣＲＰ部１４が顧客のキャッシュカードから読み取った口座情報や操作表示部１２で顧客により入力された暗証番号と共に前記合計金額等がホストコンピュータ２４に送られ，ホストコンピュータ２４からは取引の許可、不許可の通知が自動取引装置１０に返送される。
【００１９】
ホストコンピュータ２４から取引許可の通知を受けると、紙幣の出金が始まり、各金額入力表示欄６１、６２、６３…６ｎに入力表示された出金する金額が、上記制御部２２により記憶部２３に記憶された順序に従って出金処理される。
すなわち、紙幣収納金庫１７、１８から紙幣が繰出されて鑑別部２１に搬送され、金種鑑別および計数が行われた後、紙幣入出金口１３に搬送されて集積されるが、最初の取引の指定金額分の紙幣が鑑別部２１で計数されると、しおり収納庫１９よりしおりが1枚繰出され、鑑別部２１を経て紙幣入出金口１３に搬送されて最初の取引の指定金額分の紙幣の上にしおりが重ねられる。続いて紙幣収納金庫１７、１８から紙幣が繰出され、前記と同様の手順で紙幣入出金口１３に搬送されて既に集積されているしおり上に集積され、そして次の取引の指定金額分の紙幣が鑑別部２１で計数されると、しおり収納庫１９からしおりが1枚繰出されて前記と同様に紙幣入出金口１３で前の指定金額分の紙幣上に重ねられる。
【００２０】
このようにして、各取引の指定金額毎の紙幣上にしおりを1枚重ねることで、取引毎の紙幣はしおりで区分された状態で集積されるので、すべての取引の紙幣を紙幣入出金口１３に集積した後、紙幣入出金口１３から一括して顧客に出金する。
例えば、１０万円、２０万円、３０万円の３種類を指定して引出し（出金）したい場合には、図示しない通常の待受画面から引出し（出金）キーを押下すると、図３に示す画面が開かれる。図３の画面中の「区別指定」キー５を押下して図４の区別指定画面を表示させ、テンキー７により指定金額欄６の金額入力表示欄６１に１０万円、次の金額入力表示欄６２に２０万円、次の金額入力表示欄６３に３０万円をそれぞれ入力し、「確認」キー８を押下する。
【００２１】
そして、ホストコンピュータ２４から取引許可の通知を受けることで支払が始まり、紙
幣収納金庫１７、１８より紙幣が出金され、鑑別部２１を経て紙幣入出金口１３に集積さ
れる。金額が１０万円に達したら、制御部２２の制御によりしおり収納庫１９から繰出さ
れたしおりが、紙幣入出金口１３に集積された１０万円の紙幣の上部にのせられる。
つづいて、前記同様に紙幣収納金庫１７、１８から出金された２０万円の紙幣が紙幣入
出金口１３で前記のしおりの上に集積され、前記同様にしおり収納庫１９から繰出された
しおりが紙幣入出金口１３で２０万円の紙幣の上部にのせられる。
【００２２】
つづいて、その上に最後の３０万円が出金されて紙幣入出金口１３で前記しおり上に集
積される。
このようにして顧客が受け取る際には、指定金額毎にしおりが挟まって重ねられた状態、
つまり、「１０万円＋しおり＋２０万円＋しおり＋３０万円」のように重なった状態で顧客は紙幣が一括した状態で受け取ることができる。これによって、顧客はしおりによって一目で各指定金額を知ることができる。
【００２３】
そして、顧客により予め通帳記帳部１５に挿入されている通帳には、記憶部２３の記憶に基づいて各金額入力表示欄６１、６２、６３…６ｎの取引金額がそれぞれ区別されて取引内容として印字記録された後、顧客に返却される。
例えば、通帳記帳部で通帳に、１０万円、２０万円、３０万円の取引の明細がそれぞれ個々に独立して印字記録され、顧客に放出される。
【００２４】
通帳を使用しない場合等には、ＣＲＰ部１４でレシートに同様に取引の明細がそれぞれ個々に独立して印字記録され、顧客に放出される。
なお、各金額指定の際に、出金メモを入力し、それを通帳やレシートの摘要欄に印字部で印字するようにしてもよい。
また、紙幣入出金機１０の搬送路に印字部を設け、しおり収納庫１９から繰出されるしおりに各金額指定の際に入力した出金メモを印字するようにしてもよい。  
【００２５】
以上説明した実施例によると、通帳に個別に記録しておきたい複数の出金（引出し）処理を、1回の出金処理手続きで行うことができることになり、取引時間を極めて短縮することができ、自動取引装置にたいする1人の占有時間を短くすることができるために、利用する顧客の混雑緩和をはかることができる。また、手数料が必要な場合には、一度の手数料で済むことになる。
【実施例２】
【００２６】
本実施例は入金取引処理を例としたものである。
図５は実施例２を示す操作表示部１２の区別指定画面例である。図５の入金取引の区別指定画面において、２６は指定金額欄、２７は金額を訂正するためのテンキー、２８は取引内容を決定するための「確認」キー、２９は取引内容を取り消す「取消」キーである。
上記指定金額欄２６は、複数の金額表示欄２６１、２６２…２６ｎおよび合計欄が並んでおり、所望する複数の入金取引の各取引額が表示される。
【００２７】
なお、自動取引装置は上記図１および図２に示した自動取引装置および紙幣入出金機と同様であるために説明は省略する。
通常の1回のみの入金取引の際は、図示しない通常の待受画面の「預入れ」キーを押下し、キャッシュカードまたは通帳をＣＲＰ部１４または通帳記帳部１５に挿入されると、キャッシュカードまたは通帳から口座情報が読み取られ、制御部２２によりホストコンピュータ２４と通信が行われる。ホストコンピュータ２４から取引許可の通知が送られてくると、紙幣入出金口１３が開き、預け入れ紙幣を投入すると、鑑別部２１で鑑別後、計数して表示画面に投入金額が表示され、確認キーの押下によって取引が実行される。
【００２８】
通帳記帳部１５に挿入された通帳には、入金金額が印字され返却される。
つぎに、本実施例は、個別に通帳に記録を残したい複数の入金（預入れ）取引を1回の取引処理によって行うことができる。
つまり、先ず、顧客は予め、個別に記録を残したい複数の入金（預入れ）金額毎に備え付けのしおりを紙幣間に挟み込んで区分して一括しておく。
【００２９】
そこで、表示操作部１２の図示しない通常の待受画面の「預入れ」を押下し、キャッシュカードまたは通帳をＣＲＰ部１４または通帳記帳部１５に挿入されると、キャッシュカードまたは通帳から口座情報が読み取られ、制御部２２によりホストコンピュータ２４と通信が行われる。ホストコンピュータ２４から取引許可の通知が送られてくると、紙幣入出金口１３が開き、上記しおりを挟み込んだ複数入金分の預入れ紙幣を一括して投入すると、紙幣を鑑別部２１に順次搬送して鑑別し、しおりがその形状、マーク等により鑑別されると、それまでの枚数を計数して記憶部２３で記憶し、同時に投入された紙幣は順次しおり毎に枚数が計数され、記憶される。
【００３０】
計数された紙幣は、一時保留部１６に集積され、投入された紙幣の計数が終了後、図５に示す区別指定画面が表示される。
そこで、指定金額欄２６の各金額表示欄２６１、２６２…２６ｎに上記のしおりで区分された取引毎の金額および合計金額が表示され、顧客はそれを確認し、よろしければ「確認」キー２８を押下する。
【００３１】
各金額表示欄の金額が違っている場合には、テンキー２７中の「訂正」キーと「案内」キーによって合計金額内での訂正を行うことができる。訂正処理後は「確認」キー２８によって訂正が終了する。訂正が不可能な場合には「取消」キー２９によって取り引きを取り消すことができる。
「確認」キー２８が押下されると、一時保留部１６に集積されている紙幣が鑑別部２１に搬送され、金種鑑別が行われた後、紙幣収納金庫１７、１８にそれぞれ収納される。その際、しおりはしおり収納庫１９に搬送されて収納される。
【００３２】
通帳記帳部１５に挿入されている通帳には、金額表示欄２６１、２６２…２６ｎ毎の入金金額が記憶部２３の記憶に基づいて個別に印字記録されて返却される。
例えば、１０万円、２０万円、３０万円の３種類を個別に記録するように入金する場合には、顧客は予め、複数の入金（預入れ）金額毎に備え付けのしおりを紙幣間に挟み込んで区分して重ねて一括しておく。つまり「１０万円＋しおり＋２０万円＋しおり＋３０万円」のように、しおりを１０万円と２０万円の間およびその２０万円と３０万円の間に挟み込んで取引毎の紙幣を区分した一括状態とする。
【００３３】
この一括紙幣を紙幣入出金口１３に投入すると、紙幣は鑑別部２１に順次搬送されて鑑別、計数される。しおりが鑑別されると、それまでの枚数を記憶部２３で記憶し、投入された全紙幣を各しおり毎に同様に枚数が鑑別、計数され、それぞれ記憶部２３に記憶される。
鑑別部２１でしおりが鑑別されると、一括投入された紙幣の計数が終了後、図５に示す区別指定画面が表示される。
【００３４】
そこで、指定金額欄２６の各金額表示欄２６１、２６２…２６ｎに各しおりで区分された金額１０万円、２０万円、３０万円および合計金額が表示され、顧客はそれを確認し、よろしければ「確認」キー２８を押下して終了する。
そして、通帳記帳部１５に挿入されている通帳には、各金額表示欄２６１、２６２…２６ｎ毎の入金金額が記憶部２３の記憶に基づいて個別に取引内容として印字記録されて返却される。つまり、しおりで区分された金額１０万円、２０万円、３０万円が入金された場合、通帳には通帳記帳部１５により入金取引の内容として個別に１０万円、２０万円、３０万円の各金額が印字記録されて顧客に返却される。
【００３５】
なお、通帳を使用しない場合には、ＣＲＰ部１４でレシートに同様に取引の明細がそれぞれ個々に独立して印字記録され、顧客に放出される。
以上説明した実施例によると、通帳に個別に記録しておきたい複数の預入れ（入金）処理を、1回の入金処理手続きで行うことができることになり、取引時間を極めて短縮することができ、自動取引装置に対する1人の占有時間を短くすることができるために、利用する顧客の混雑緩和をはかることができる。また、手数料が必要な場合には、一度の手数料で済むことになる。
【図面の簡単な説明】
【００３６】
【図１】自動取引装置の構造の簡略説明図
【図２】自動取引装置の構成を示す概略ブロック図
【図３】実施例１を示す操作表示部の操作画面例
【図４】実施例１を示す区別指定画面例
【図５】実施例２を示す区別指定画面例
【符号の説明】
【００３７】
１  金額入力欄
２  テンキー
３  「確認」キー
４  「取消」キー
５  「区別指定」キー
６  指定金額欄
６１、６２、６３…６ｎ  金額入力表示欄
７  テンキー
８  「確認」キー
９  「取消」キー
１０  自動取引装置
１１  紙幣入出金機
１２  操作表示部
１３  紙幣入出金口
１４  ＣＲＰ部
１５  通帳記帳部
１６  一時保留部
１７、１８  紙幣収納金庫
１９  しおり収納庫
２０  リジェクト庫
２１  鑑別部
２２  制御部
２３  記憶部
２４  ホストコンピュータ
２５  顧客管理データベース
２６  指定金額欄
２６１、２６２…２６ｎ  金額表示欄
２７  テンキー
２８  「確認」キー
２９  「取消」キー  
【図１】
2009093465.tif 000003
【図２】
2009093465.tif 000004
【図３】
2009093465.tif 000005
【図４】
2009093465.tif 000006
【図５】
2009093465.tif 000007